(57)【特許請求の範囲】
【請求項１】
少なくとも第１の無線アクセス技術（ＲＡＴ）および第２のＲＡＴを使用して通信することができる無線機を有するユーザ機器を動作させるための方法であって、
前記第１のＲＡＴを使用して単一ＲＡＴモードで動作している間、
前記第１のＲＡＴについての現在の経路損失が第１の経路損失閾値を超えているかどうかを前記ユーザ機器によって決定するステップと、
前記第１の経路損失閾値を超える前記現在の経路損失に基づいて、二重ＲＡＴモードで動作させることを前記ユーザ機器によって決定するステップと、
前記二重ＲＡＴモードで動作させる決定に基づいて、前記単一ＲＡＴモードにおける動作から前記二重ＲＡＴモードにおける動作に前記ユーザ機器によって切り換えるステップと、
前記第１のＲＡＴおよび前記第２のＲＡＴを使用して前記二重ＲＡＴモードで動作している間、
前記第１のＲＡＴについての現在の経路損失が第２の経路損失閾値未満であるかどうかを決定するステップと、
前記現在の経路損失が前記第２の経路損失閾値未満であることに基づいて単一ＲＡＴモードで動作させることを決定するステップと、
前記二重ＲＡＴモードにおける動作から前記単一ＲＡＴモードにおける動作に切り換えるステップであって、前記単一ＲＡＴモードが前記第１のＲＡＴに対応する、ステップと
を含む方法。
【請求項２】
前記第１の経路損失閾値を超える前記現在の経路損失に基づいて前記第２のＲＡＴの経路損失を決定するステップ
をさらに含み、前記切り換えるステップが前記第２のＲＡＴの前記経路損失にも基づく、請求項１に記載の方法。
【請求項３】
前記第１の経路損失閾値を超える前記現在の経路損失に基づいてカウンタを増加させるステップ
をさらに含み、前記切り換えるステップが閾値を超える前記カウンタに基づく、請求項１に記載の方法。
【請求項４】
前記第１のＲＡＴについての現在の経路損失が前記第１の経路損失閾値を超えているかどうかを決定するステップを後の時間に反復するステップと、
前記現在の経路損失が前記第１の経路損失閾値を超えていないことに基づいて前記カウンタを修正するステップと
をさらに含む、請求項３に記載の方法。
【請求項５】
前記カウンタを修正する前記ステップが前記カウンタをリセットするステップを含み、前記現在の経路損失が連続して閾値回数にわたって前記第１の経路損失閾値を超えないことに応答して実施される、請求項４に記載の方法。
【請求項６】
前記第１の経路損失閾値および前記第２の経路損失閾値が異なる、請求項１に記載の方法。
【請求項７】
前記第１のＲＡＴがロングタームエボルーション（ＬＴＥ）を含み、前記第２のＲＡＴが回線交換技術を含む、請求項１に記載の方法。
【請求項８】
無線通信するように構成された１つまたは複数のアンテナを備えた無線機であって、少なくとも第１の無線アクセス技術（ＲＡＴ）および第２のＲＡＴを使用して通信するように構成される無線機と、
前記無線機に結合された処理要素と
を備え、前記無線機および前記処理要素が、
前記第１のＲＡＴおよび前記第２のＲＡＴを使用して二重ＲＡＴモードで動作している間、
前記第１のＲＡＴについての現在の経路損失が第１の経路損失閾値未満であるかどうかを決定し、
前記現在の経路損失が前記第１の経路損失閾値未満であることに基づいて単一ＲＡＴモードで動作させることを決定し、
前記二重ＲＡＴモードにおける動作から単一ＲＡＴモードにおける動作に切り換える
ように構成され、前記単一ＲＡＴモードが前記第１のＲＡＴに対応するユーザ機器。
【請求項９】
前記無線機および前記処理要素が、
前記現在の経路損失が前記第１の経路損失閾値未満であることに基づいてカウンタを増加させる
ように構成され、前記切り換えが閾値を超える前記カウンタに基づく、請求項８に記載のユーザ機器。
【請求項１０】
前記無線機および前記処理要素が、
前記第１のＲＡＴについての現在の経路損失が前記第１の経路損失閾値未満であるかどうかを決定することを後の時間に反復し、
前記現在の経路損失が前記第１の経路損失閾値を超えていることに基づいて前記カウンタを修正する
ように構成される、請求項９に記載のユーザ機器。
【請求項１１】
前記カウンタの修正が前記カウンタのリセットを含み、前記現在の経路損失が連続して閾値回数にわたって前記第１の経路損失閾値を超えることに応答して実施される、請求項１０に記載のユーザ機器。
【請求項１２】
前記無線機および前記処理要素が、
前記第１のＲＡＴおよび前記第２のＲＡＴを使用して前記単一ＲＡＴモードで動作している間、
前記第１のＲＡＴについての現在の経路損失が第２の経路損失閾値を超えているかどうかを決定し、
前記現在の経路損失が前記第２の経路損失閾値を超えていることに基づいて前記二重ＲＡＴモードで動作させることを決定し、
前記二重ＲＡＴモードにおける動作の決定に基づいて前記単一ＲＡＴモードにおける動作から前記二重ＲＡＴモードにおける動作に切り換える
ように構成される、請求項１０に記載のユーザ機器。
【請求項１３】
前記第１の経路損失閾値および前記第２の経路損失閾値が異なる、請求項１２に記載のユーザ機器。
【請求項１４】
前記第１のＲＡＴがロングタームエボルーション（ＬＴＥ）を含み、前記第２のＲＡＴが回線交換技術を含む、請求項８に記載のユーザ機器。
【請求項１５】
少なくとも第１のＲＡＴおよび第２のＲＡＴを使用して通信することができる無線機を有するユーザ機器のために単一無線アクセス技術（ＲＡＴ）モードで動作させるか、あるいは二重ＲＡＴモードで動作させるかどうかを決定するためのプログラム命令を記憶する非一時的コンピュータアクセス可能記憶媒体であって、前記プログラム命令が、
前記第１のＲＡＴについての現在の経路損失が経路損失閾値を超えているかどうかを決定し、
前記第１のＲＡＴについての前記現在の経路損失が前記経路損失閾値を超えているかどうかの決定の結果に基づいて、前記単一ＲＡＴモードで動作させるか、あるいは前記二重ＲＡＴモードで動作させるかどうかを決定し、
前記単一ＲＡＴモードで動作させるか、あるいは前記二重ＲＡＴモードで動作させるかどうかの決定に基づいて、前記単一ＲＡＴモードまたは前記二重ＲＡＴモードで動作させる
ように、プロセッサによって実行可能であり、
前記現在の経路損失の前記決定が前記二重ＲＡＴモードにある間に実施され、前記第１のＲＡＴについての前記現在の経路損失が前記経路損失閾値を超えているかどうかの決定の結果が、前記経路損失閾値未満の前記現在の経路損失を含み、前記単一ＲＡＴモードで動作させるか、あるいは前記二重ＲＡＴモードで動作させるかどうかの前記決定が前記単一ＲＡＴモードで動作させると決定することを含み、前記単一ＲＡＴモードまたは前記二重ＲＡＴモードでの前記動作が前記二重ＲＡＴモードから前記単一ＲＡＴモードに切り換えることを含む、非一時的コンピュータアクセス可能記憶媒体。
【請求項１６】
前記現在の経路損失の前記決定が前記単一ＲＡＴモードにある間に実施され、前記第１のＲＡＴについての前記現在の経路損失が前記経路損失閾値を超えているかどうかの決定の結果が、前記経路損失閾値を超える前記現在の経路損失を含み、前記単一ＲＡＴモードで動作させるか、あるいは前記二重ＲＡＴモードで動作させるかどうかの前記決定が前記二重ＲＡＴモードで動作させると決定することを含み、前記単一ＲＡＴモードまたは前記二重ＲＡＴモードでの前記動作が前記単一ＲＡＴモードから前記二重ＲＡＴモードに切り換えることを含む、請求項１５に記載の非一時的コンピュータアクセス可能記憶媒体。
【請求項１７】
前記プログラム命令が、
前記第１のＲＡＴについての前記現在の経路損失が前記経路損失閾値を超えているかどうかの決定の結果に基づいてカウンタを修正する
ようにさらに実行可能であり、前記単一ＲＡＴモードで動作させるか、あるいは前記二重ＲＡＴモードで動作させるかどうかの前記決定が前記カウンタに基づく、請求項１５に記載の非一時的コンピュータアクセス可能記憶媒体。
【請求項１８】
前記第１のＲＡＴがパケット交換技術を含み、前記第２のＲＡＴが回線交換技術を含む、請求項１５に記載の非一時的コンピュータアクセス可能記憶媒体。
【発明の詳細な説明】
【技術分野】
【０００１】
本出願は無線通信の分野に関し、より詳細には、現在の状態に基づいて無線アクセス技術（ＲＡＴ：ｒａｄｉｏ  ａｃｃｅｓｓ  ｔｅｃｈｎｏｌｏｇｙ）モードを選択するためのシステムおよび方法に関する。
【背景技術】
【０００２】
無線通信システムは、その使い方が急速に増大している。さらに、無線通信技術は、単なる音声の通信から、インターネットおよびマルチメディアコンテンツなどのデータの伝送もまた含む通信にまで進化している。無線通信システムの進化に伴い、無線通信技術の次の世代が開発されようとしている。新しい世代の無線技術の採用は、場合によっては緩やかなプロセスであり、その間、例えば新しい世代の無線技術が完全に展開されるまでのある期間の間、同様の技術の１つまたは複数の先行する世代と、より新しい世代の技術が共存することがある。
【０００３】
さらに、多くの異なる無線通信技術および規格が存在している。無線通信規格のいくつかの例には、ＧＳＭ（登録商標）、ＵＭＴＳ、ＬＴＥ、ＣＤＭＡ２０００（例えば１ｘＲＴＴ、１ｘＥＶ−ＤＯ）、ＩＥＥＥ  ８０２．１１（ＷＬＡＮまたはＷｉ−Ｆｉ）、ＩＥＥＥ  ８０２．１６（ＷｉＭＡＸ）、Ｂｌｕｅｔｏｏｔｈ（登録商標）等がある。これらの規格のうちのいくつかは相補機能の役割をはたすことができ、一方、他の規格は、通常、消費者間の同様のニーズを満たそうと試みる競争相手と見なすことができる。
【０００４】
デバイスは、しばしば、無線通信技術の世代間の連続性を提供するために、相補機能を提供するために、および／または他の理由で、複数の無線技術または規格を使用して通信するための能力を提供することが望ましい。いくつかのケースでは、これは、個々の無線通信技術または規格のための個別の機能ブロックをデバイスに提供することによって達成することができる。しかしながら、これは、より多くの（また、場合によっては二重の）構成要素が必要であるため、デバイスに関連する追加コストを招くことになり、また、デバイスの動作に非効率性（例えば複数の無線に起因するより大きい電力要件、互いに悪影響を及ぼす無線間の干渉）をもたらすことになる。また、これは、デバイスが、とりわけ、フォームファクタがより小さい（例えばより細く、より軽い）ことが望ましい移動デバイスである場合、デバイスのフォームファクタに悪影響を及ぼすことになる。
【０００５】
一代替は、単一の機能ブロック（例えば単一の無線機）を使用して複数の無線通信技術を実施するデバイスを含むことができる。しかしながら複数の無線技術間における単一の無線機の共有は、一組のその固有の課題を有している。例えば一度に１つの無線技術しかその無線機を使用することができない場合、その無線機を使用するために、無線技術間で時折（または頻繁に）競合が生じることになる。したがって無線通信および無線通信を実施するデバイスには改善が必要である。
【発明の概要】
【課題を解決するための手段】
【０００６】
上で言及したように、単一の機能ブロック（例えば単一の無線機）を使用して複数の無線通信技術を実施するデバイスは、個別の機能ブロック（例えば個別の無線機）を使用して異なる無線通信技術を実施するデバイスに対して著しい利点を有することができる。このようなデバイスは潜在的により安価な製造コストを有することができ（例えば必要な構成要素がより少なく、および／または総アーキテクチャがより単純であるため）、また、より有効な動作を有することができる（例えば無線機が単一であり、したがって電力要件が小さいため）。さらに、このような単一の無線設計は、デバイス自体のより望ましいフォームファクタ（例えばより細く、より軽い）を容易に許容することができる。しかしながら複数の無線技術を効果的に実施する単一の無線機を提供するためには、場合によっては高度に複雑な制御アルゴリズムが必要である。
【０００７】
一例として、いくつかのケースでは、デバイスは、１つの無線機を共有する複数の無線アクセス技術（ＲＡＴ）の各々のための個別のプロトコルスタックを実施することができる。プロトコルスタックは、無線機を動作させる順番を取ることができる。その無線機を同時に使用するように両方のプロトコルスタックがスケジュールされると、ＲＡＴ間で競合または衝突が生じることになる。
【０００８】
デバイスは、様々な要因に応じて単一ＲＡＴモードまたは多重すなわち二重ＲＡＴモードで動作するように構成することができる。例えばデバイスは、例えば単一の無線機、第１のＲＡＴ（例えばロングタームエボルーション（ＬＴＥ）などのパケット交換技術）、および／または第２のＲＡＴ（例えば移動通信のための広域システム（ＧＳＭ）などの回線交換技術および／または１ｘ技術）を使用して通信するように構成することができる。いくつかの実施形態では、デバイスは、電池の消費または他の要因のために、例えば第１のＲＡＴに対応する単一ＲＡＴモードで動作する優先権を有することができる。
【０００９】
しかしながら、第１のＲＡＴについての現在のネットワーク状態が呼をサポートするには不十分であるか、あるいは第１のＲＡＴを使用した呼が将来的に失敗する可能性があることを現在のネットワーク状態が示している場合、デバイスは、単一ＲＡＴモードにおける動作から二重ＲＡＴモードにおける動作に切り換えることができ、したがってユーザに対する重大な品質問題を招くことなく、第１のＲＡＴから第２のＲＡＴへのフェイルオーバを達成することができる。さらに、二重ＲＡＴモードで動作している間に、第１のＲＡＴが呼をサポートするのに十分であることを現在のネットワーク状態が示すと、デバイスは、二重ＲＡＴモードにおける動作から単一ＲＡＴモードにおける動作に切り換えることができる。
【００１０】
この発明の概要は、いくつかの例示的実施形態を要約し、それにより本明細書において説明される主題の態様の基本的な理解を提供するために提供されたものである。したがって上で説明した特徴は単なる例にすぎず、決して本明細書において説明される主題の範囲または精神を制限するものと解釈するべきでない。本明細書において説明される主題の他の特徴、態様および利点は、以下の詳細な説明、図および特許請求の範囲から明らかになるであろう。
本主題については、好ましい実施形態についての以下の詳細な説明を以下の図面に照らして考察することによってより良好に理解することができる。
【図面の簡単な説明】
【００１１】
【図１】一例示的無線通信システムを示す図である。
【図２】ユーザ機器デバイスと通信している基地局を示す図である。
【図３】基地局を介してネットワークと通信しているユーザ機器デバイスを示す図である。
【図４】ユーザ機器デバイスのブロック図の一例である。
【図５】基地局のブロック図の一例である。
【図６Ａ】様々な要因に基づいて単一ＲＡＴモードと二重ＲＡＴモードの間で切り換えるための例示的方法を示す流れ図である。
【図６Ｂ】様々な要因に基づいて単一ＲＡＴモードと二重ＲＡＴモードの間で切り換えるための例示的方法を示す流れ図である。
【図７Ａ】様々な要因に基づいて単一ＲＡＴモードと二重ＲＡＴモードの間で切り換えるための例示的方法を示す流れ図である。
【図７Ｂ】様々な要因に基づいて単一ＲＡＴモードと二重ＲＡＴモードの間で切り換えるための例示的方法を示す流れ図である。
【図８】様々な要因に基づいて単一ＲＡＴモードと二重ＲＡＴモードの間で切り換えるための例示的方法を示す流れ図である。
【図９】様々な要因に基づいて単一ＲＡＴモードと二重ＲＡＴモードの間で切り換えるための例示的方法を示す流れ図である。
【図１０】様々な要因に基づいて単一ＲＡＴモードと二重ＲＡＴモードの間で切り換えるための例示的方法を示す流れ図である。
【図１１】様々な要因に基づいて単一ＲＡＴモードと二重ＲＡＴモードの間で切り換えるための例示的方法を示す流れ図である。
【発明を実施するための形態】
【００１２】
本明細書において説明される特徴には、様々な修正および代替形態が可能であるが、図面にはその特定の実施形態が一例として示されており、本明細書において詳細に説明される。しかしながら図面およびその詳細な説明には、開示されている特定の形態に限定されることは意図されておらず、その意図は、それとは逆に、特許請求の範囲によって定義されている主題の精神および範囲内であるあらゆる修正、均等物および代替を包含することにあることを理解されたい。
【００１３】
頭辞語
本開示には以下の頭辞語が使用されている。
３ＧＰＰ：  第３世代パートナーシッププロジェクト
３ＧＰＰ２：  第３世代パートナーシッププロジェクト２
ＧＳＭ：  移動通信のための広域システム
ＵＭＴＳ：  ユニバーサル移動遠隔通信システム
ＬＴＥ：  ロングタームエボルーション
用語
【００１４】
以下は、本出願に使用されている用語の語彙用語解である。
【００１５】
記憶媒体−任意の様々なタイプのメモリ素子または記憶装置。「記憶媒体」という用語には、インストレーション媒体、例えばＣＤ−ＲＯＭ、フロッピディスクまたはテープデバイス；コンピュータシステムメモリまたはＤＲＡＭ、ＤＤＲ  ＲＡＭ、ＳＲＡＭ、ＥＤＯ  ＲＡＭ、Ｒａｍｂｕｓ  ＲＡＭ、等々などのランダムアクセスメモリ；フラッシュ、磁気媒体、例えばハードドライブまたは光記憶装置などの不揮発性メモリ；レジスタまたは他の同様のタイプの記憶素子、等々を含むことが意図されている。記憶媒体は、他のタイプのメモリを含むことも可能であり、あるいはそれらの組合せを含むことも可能である。さらに、記憶媒体は、プログラムが実行される第１のコンピュータシステムの中に配置することができ、あるいはインターネットなどのネットワークを介して第１のコンピュータシステムに接続する第２の異なるコンピュータシステムの中に配置することができる。後の実例では、第２のコンピュータシステムは、実行するためのプログラム命令を第１のコンピュータに提供することができる。「記憶媒体」という用語は、異なる位置、例えばネットワークを介して接続される異なるコンピュータシステムの中に常駐させることができる複数の記憶媒体を含むことができる。記憶媒体は、１つまたは複数のプロセッサによって実行することができるプログラム命令を記憶することができる（例えばコンピュータプログラムとして具体化される）。
【００１６】
キャリア媒体−上で説明した記憶媒体であり、また、バス、ネットワークなどの物理的伝送媒体、および／または電気信号、電磁信号またはディジタル信号などの信号を運ぶ他の物理的伝送媒体である。
【００１７】
プログラム可能ハードウェア要素−プログラム可能相互接続を介して接続される複数のプログラム可能機能ブロックを備える様々なハードウェアデバイスを含む。例には、ＦＰＧＡ（書替え可能ゲートアレイ）、ＰＬＤ（プログラム可能論理デバイス）、ＦＰＯＡ（書替え可能オブジェクトアレイ）およびＣＰＬＤ（コンプレックスＰＬＤ）がある。プログラム可能機能ブロックは、細かいプログラム可能機能ブロック（論理またはルックアップテーブルの組合せ）から粗いプログラム可能機能ブロック（論理演算装置またはプロセッサコア）にまで及ぶことができる。プログラム可能ハードウェア要素は、「再構成可能論理」と呼ぶことも可能である。
【００１８】
コンピュータシステム−任意の様々なタイプの計算または処理システムであり、パーソナルコンピュータシステム（ＰＣ）、メインフレームコンピュータシステム、ワークステーション、ネットワークアプライアンス、インターネットアプライアンス、パーソナルディジタルアシスタント（ＰＤＡ：ｐｅｒｓｏｎａｌ  ｄｉｇｉｔａｌ  ａｓｓｉｓｔａｎｔ）、パーソナル通信デバイス、スマートフォン、テレビジョンシステム、グリッド計算システムまたは他のデバイスあるいはデバイスの組合せを含む。一般に、「コンピュータシステム」という用語は、記憶媒体からの命令を実行する少なくとも１つのプロセッサを有する任意のデバイス（またはデバイスの組合せ）を包含するべく広義に定義することができる。
【００１９】
ユーザ機器（ＵＥ：ｕｓｅｒ  ｅｑｕｉｐｍｅｎｔ）（または「ＵＥデバイス」）−移動すなわち携帯形であり、無線通信を実施する任意の様々なタイプのコンピュータシステムデバイスである。ＵＥデバイスの例には、移動電話すなわちスマートフォン（例えばｉＰｈｏｎｅ（商標）、Ａｎｄｒｏｉｄ（商標）をベースとする電話）、携帯形ゲーミングデバイス（例えばＮｉｎｔｅｎｄｏ  ＤＳ（商標）、ＰｌａｙＳｔａｔｉｏｎ  Ｐｏｒｔａｂｌｅ（商標）、Ｇａｍｅｂｏｙ  Ａｄｖａｎｃｅ（商標）、ｉＰｈｏｎｅ（商標））、ラップトップ、ＰＤＡ、携帯形インターネットデバイス、音楽プレーヤ、データ記憶装置または他のハンドヘルドデバイス、等々がある。一般に、「ＵＥ」または「ＵＥデバイス」という用語は、ユーザによって容易に輸送され、無線通信することができる任意の電子デバイス、計算デバイスおよび／または遠隔通信デバイス（またはデバイスの組合せ）を包含するべく広義に定義することができる。
【００２０】
基地局−「基地局」という用語は、それが元々意味している完全な広さを有しており、また、固定位置に設置され、無線電話システムまたは無線システムの一部として通信するために使用される無線通信局を少なくとも含む。
【００２１】
処理要素−様々な要素または要素の組合せを意味している。処理要素は、例えば、ＡＳＩＣ（特定用途用集積回路）などの回路、個別プロセッサコアの一部または回路、プロセッサコア全体、個別プロセッサ、書替え可能ゲートアレイ（ＦＰＧＡ：ｆｉｅｌｄ  ｐｒｏｇｒａｍｍａｂｌｅ  ｇａｔｅ  ａｒｒａｙ）などのプログラム可能ハードウェアデバイス、および／または複数のプロセッサを含むシステムのより大きい部分を含む。
【００２２】
自動的に−コンピュータシステム（例えばそのコンピュータシステムによって実行されるソフトウェア）またはデバイス（例えば回路、プログラム可能ハードウェア要素、ＡＳＩＣ、等々）によって実施され、その動作または操作を直接特定する、または実施するユーザ入力を必要としない動作または操作を意味している。したがって「自動的に」という用語は、ユーザによって手動で実施または特定され、その操作を直接実施する入力をユーザが提供する操作とは対照的である。自動手順は、ユーザによって提供される入力によって開始することができるが、「自動的に」実施される後続する動作はユーザによって特定されず、つまり個々の動作の実施をユーザが特定する「手動で」は実施されない。例えば個々の欄を選択し、情報を特定する入力を提供する（例えば情報をタイプし、チェックボックス、無線選択を選択し、等々によって）ことによって電子フォームを書き込むユーザは、たとえコンピュータシステムがユーザの動作に応答してフォームを更新しなければならないにせよ、手動でフォームを書き込む。フォームはコンピュータシステムによって自動的に書き込むことができ、コンピュータシステム（例えばそのコンピュータシステム上で実行するソフトウェア）は、フォームの欄を解析し、その欄に対する回答を特定する何らかのユーザ入力を必要とすることなくフォームを書き込む。上で示したように、ユーザは、フォームの自動書込みを呼び出すことができるが、フォームの実際の書込みには関与していない（例えばユーザは、欄に対する回答を手動で特定していないが、どちらかといえばそれらは自動的に計算されている）。本明細書は、ユーザが取った動作に応答して自動的に実施される操作の様々な例を提供している。
図１〜３−通信システム
【００２３】
図１は、一例示的（かつ、簡略化された）無線通信システムを示したものである。図１のシステムは、可能なシステムの単なる一例にすぎず、また、実施形態は、必要に応じて任意の様々なシステムの中で実施することができることに留意されたい。
【００２４】
図に示されているように、この例示的無線通信システムは、伝送媒体を介して１つまたは複数のユーザデバイス１０６Ａないし１０６Ｎと通信する基地局１０２Ａおよび１０２Ｂを含む。ユーザデバイスの各々は、本明細書においては「ユーザ機器」（ＵＥ）と呼ぶことができる。したがってユーザデバイスは、ＵＥまたはＵＥデバイスと呼ばれる。
【００２５】
基地局１０２は、基地トランシーバ局（ＢＴＳ）またはセルサイトであってもよく、また、ユーザデバイス１０６Ａないし１０６Ｎとの無線通信を可能にするハードウェアを含むことができる。また、個々の基地局１０２は、セルラサービスプロバイダのコアネットワークであってもよいコアネットワーク１００と通信するように準備することも可能である（基地局１０２Ａはコアネットワーク１００Ａに結合することができ、一方、基地局１０２Ｂはコアネットワーク１００Ｂに結合することができる）。また、個々のコアネットワーク１００は、インターネット、公衆交換電話ネットワーク（ＰＳＴＮ）、および／または任意の他のネットワークを含むことができる１つまたは複数の外部ネットワーク（外部ネットワーク１０８など）に結合することも可能である。したがって基地局１０２は、ユーザデバイス１０６間の通信、および／またはユーザデバイス１０６とネットワーク１００Ａ、１００Ｂおよび１０８の間の通信を容易にすることができる。
【００２６】
基地局１０２およびユーザデバイス１０６は、伝送媒体を介して、任意の様々な無線アクセス技術（無線通信技術とも呼ばれる「ＲＡＴ」）、またはＧＳＭ、ＵＭＴＳ（ＷＣＤＭＡ（登録商標））、ＬＴＥ、ＬＴＥ  Ａｄｖａｎｃｅｄ（ＬＴＥ−Ａ）、３ＧＰＰ２  ＣＤＭＡ２０００（例えば１ｘＲＴＴ、１ｘＥＶ−ＤＯ、ＨＲＰＤ、ｅＨＲＰＤ）、ＩＥＥＥ  ８０２．１１（ＷＬＡＮまたはＷｉ−Ｆｉ）、ＩＥＥＥ  ８０２．１６（ＷｉＭＡＸ）、等々などの遠隔通信規格を使用して通信するように構成することができる。
【００２７】
基地局１０２Ａおよびコアネットワーク１００Ａは、第１のＲＡＴ（例えばＬＴＥ）に従って動作することができ、一方、基地局１０２Ｂおよびコアネットワーク１００Ｂは、第２の（例えば異なる）ＲＡＴ（他の可能性の中でもとりわけ例えばＣＤＭＡ  ２０００またはＧＳＭ）に従って動作する。２つのネットワークは、同じネットワークオペレータ（例えばセルラサービスプロバイダすなわち「キャリア」）によって制御することができ、あるいは必要に応じて異なるネットワークオペレータによって制御することができる。さらに、２つのネットワークは、互いに独立して動作させることができ（例えばそれらが異なるセルラ通信規格に従って動作している場合）、あるいはある程度結合された方法または緊密に結合された方法で動作させることができる。
【００２８】
また、２つの異なるネットワークを使用して、図１に示されている例示的ネットワーク構成に示されているセルラ通信技術などの２つの異なるセルラ通信技術をサポートすることができるが、複数のセルラ通信技術を実施する他のネットワーク構成もやはり可能であることにやはり留意されたい。一例として、基地局１０２Ａおよび１０２Ｂは、同じコアネットワークに結合された異なるセルラ通信技術に従って動作することができる。他の例として、異なるセルラ通信技術（例えばＬＴＥとＣＤＭＡ２０００  １ｘＲＴＴ、ＬＴＥとＧＳＭ、および／またはセルラ通信技術の任意の他の組合せ）を同時にサポートすることができる多モード基地局を、異なるセルラ通信技術をやはりサポートするコアネットワークに結合することができる。一実施形態では、ＵＥ１０６は、パケット交換技術（例えばＬＴＥ）である第１のＲＡＴ、および回線交換技術（例えばＧＳＭまたは１ｘＲＴＴ）である第２のＲＡＴを使用するように構成することができる。
【００２９】
ＵＥ１０６は、３ＧＰＰ、３ＧＰＰ２または任意の所望の規格などの複数の無線通信規格を使用して通信することができる。ＵＥ１０６は、やはりまたは別法として、ＷＬＡＮ、Ｂｌｕｅｔｏｏｔｈ、１つまたは複数の広域航法衛星システム（ＧＮＳＳ、例えばＧＰＳまたはＧＬＯＮＡＳＳ）、１つおよび／または複数の移動テレビジョン報道通信規格（例えばＡＴＳＣ−Ｍ／ＨまたはＤＶＢ−Ｈ）、等々を使用して通信するように構成することも可能である。ＲＡＴまたは無線通信規格の他の組合せ（３つ以上のＲＡＴまたは無線通信規格を含む）もやはり可能である。
【００３０】
したがって同じまたは異なるＲＡＴまたはセルラ通信規格に従って動作する基地局１０２Ａおよび１０２Ｂならびに他の基地局は、連続する、あるいはほぼ連続する重畳サービスを、１つまたは複数のセルラ通信規格を介して広範囲に及ぶ地理領域にわたってＵＥ１０６および同様のデバイスに提供することができるセルのネットワークとして提供することができる。
【００３１】
図２は、基地局１０２と通信しているユーザ機器１０６（例えばデバイス１０６Ａないし１０６Ｎのうちの１つ）を示したものである。ＵＥ１０６は、移動電話、ハンドヘルドデバイス、コンピュータまたはタブレットなどの無線ネットワーク接続性を備えたデバイス、または事実上、任意のタイプの無線デバイスであってもよい。
【００３２】
ＵＥ１０６は、メモリに記憶されているプログラム命令を実行するように構成されるプロセッサを含むことができる。ＵＥ１０６は、このような記憶されている命令を実行することにより、本明細書において説明されている任意の方法実施形態を実施することができる。ＵＥ１０６は、やはりまたは別法として、本明細書において説明されている任意の方法実施形態、または本明細書において説明されている任意の方法実施形態の任意の部分を実施するように構成されるＦＰＧＡ（書替え可能ゲートアレイ）などのプログラム可能ハードウェア要素を含むことも可能である。
【００３３】
上で言及したように、ＵＥ１０６は、任意の複数のＲＡＴを使用して通信するように構成することができる。例えばＵＥ１０６は、ＧＳＭ、ＣＤＭＡ２０００、ＬＴＥ、ＬＴＥ−Ａ、ＷＬＡＮまたはＧＮＳＳのうちの複数を使用して通信するように構成することができる。無線通信規格の他の組合せも可能である。
【００３４】
ＵＥ１０６は、１つまたは複数の無線通信プロトコルを使用して通信するための１つまたは複数のアンテナを含むことができる。ＵＥ１０６は、受信および／または送信チェーンの１つまたは複数の部品を複数の無線通信規格間で共有することができ、例えばＵＥ１０６は、ＣＤＭＡ２０００（１ｘＲＴＴ／１ｘＥＶ−ＤＯ／ＨＲＰＤ／ｅＨＲＰＤ）または単一の共有無線機を使用したＬＴＥおよび／または単一の共有無線機を使用したＧＳＭまたはＬＴＥのうちのどちらかを使用して通信するように構成することができる。共有無線機は単一のアンテナを含むことができ、あるいは共有無線機は、無線通信を実施するための複数のアンテナ（例えばＭＩＭＯのための）を含むことができる。別法としては、ＵＥ１０６は、通信するようにＵＥ１０６が構成される無線通信プロトコル毎に個別の送信および／または受信チェーン（例えば個別のアンテナおよび他の無線構成要素を含む）を含むことも可能である。他の可能性として、ＵＥ１０６は、複数の無線通信プロトコル間で共有される１つまたは複数の無線機、および単一の無線通信プロトコルによって排他的に使用される１つまたは複数の無線機を含むことも可能である。例えばＵＥ１０６は、ＬＴＥまたは１ｘＲＴＴ（あるいはＬＴＥまたはＧＳＭ）のうちのいずれかを使用して通信するための共有無線機、およびＷｉ−ＦｉおよびＢｌｕｅｔｏｏｔｈの各々を使用して通信するための個別の無線機を含むことができる。他の構成も可能である。
【００３５】
図３は、ＬＴＥネットワーク内のＬＴＥ（ＶｏＬＴＥ）を介した音声などの、ＩＰ通信を介した音声を実施するために場合によってはとりわけ有用である無線通信システムの例示的で、簡略化された部分を示したものである。図に示されているように、ＵＥ１０６は、ＩＰマルチメディアサブシステム（ＩＭＳ：ＩＰ  ｍｕｌｔｉｍｅｄｉａ  ｓｕｂｓｙｓｔｅｍ）クライアント３０６を含むことができ、このＩＭＳクライアント３０６は、例えばハードウェアおよび／またはソフトウェアを使用して様々な方法で実施することができる。例えば一実施形態では、ソフトウェアおよび／またはハードウェアは、例えば登録、ＩＰＳｅｃサポートを使用したＡＫＡ認証、セッションセットアップおよび資源リザベーション、等々を始めとする所望のＩＭＳ機能を提供することができるＩＭＳスタックを実施することができる。
【００３６】
ＵＥ１０６は、この例示的実施形態ではｅノードＢ１０２として示されている基地局と通信することができる。このｅノードＢは、この例示的実施形態では発展型パケットコア（ＥＰＣ：ｅｖｏｌｖｅｄ  ｐａｃｋｅｔ  ｃｏｒｅ）１００として示されているコアネットワークに結合することができる。図に示されているように、ＥＰＣ１００は、移動管理エンティティ（ＭＭＥ）３２２、ホーム加入者サーバ（ＨＳＳ）３２４およびサービングゲートウェイ（ＳＧＷ）３２６を含むことができる。ＥＰＣ１００は、当業者にも知られている様々な他のデバイスを含むことができる。
【００３７】
ＥＰＣ１００はＩＭＳ３５０と通信することができる。ＩＭＳ３５０は、必要に応じて、それ自体がプロキシＣＳＣＦ（Ｐ−ＣＳＣＦ）を含むことができる呼セッション制御機能（ＣＳＣＦ：ｃａｌｌ  ｓｅｓｓｉｏｎ  ｃｏｎｔｒｏｌ  ｆｕｎｃｔｉｏｎ）３５２、問合せＣＳＣＦ（Ｉ−ＣＳＣＦ）およびサービングＣＳＣＦ（Ｓ−ＣＳＣＦ）を含むことができる。また、ＩＭＳ３５０は、メディアゲートウェイコントローラ機能（ＭＧＣＦ）３５４およびＩＭＳ管理ゲートウェイ（ＩＭＳ−ＭＧＷ：ＩＭＳ−ｍａｎａｇｅｍｅｎｔ  ｇａｔｅｗａｙ）３５６を含むことも可能である。ＥＰＣ１００と同様、ＩＭＳ３５０も、当業者にも知られている様々な他のデバイスを含むことができる。
【００３８】
したがって図３のシステムは、ＩＰ通信を介した音声、例えばＶｏＬＴＥのために使用されるデータ通路の例示的部分を示している。
図４−ＵＥの例示的ブロック図
【００３９】
図４は、ＵＥ１０６の一例示的ブロック図を示したものである。図に示されているように、ＵＥ１０６は、様々な目的のための部分を含むことができるチップ上システム（ＳＯＣ：ｓｙｓｔｅｍ  ｏｎ  ｃｈｉｐ）４００を含むことができる。例えば、図に示されているように、ＳＯＣ４００は、ＵＥ１０６のためのプログラム命令を実行することができるプロセッサ４０２、および図形処理を実施し、ディスプレイ４６０に表示信号を提供することができる表示回路４０４を含むことができる。また、プロセッサ４０２は、プロセッサ４０２からアドレスを受け取り、これらのアドレスをメモリ（例えばメモリ４０６、リードオンリメモリ（ＲＯＭ：ｒｅａｄ  ｏｎｌｙ  ｍｅｍｏｒｙ）４５０、ＮＡＮＤフラッシュメモリ４１０）内の記憶場所に翻訳するように構成することができるメモリ管理ユニット（ＭＭＵ：ｍｅｍｏｒｙ  ｍａｎａｇｅｍｅｎｔ  ｕｎｉｔ）４４０に結合することができ、および／または表示回路４０４、無線通信回路４３０（「無線機」とも呼ばれる）、コネクタＩ／Ｆ４２０および／またはディスプレイ４６０などの他の回路またはデバイスに結合することも可能である。ＭＭＵ４４０は、メモリ保護およびページテーブル翻訳またはセットアップを実施するように構成することができる。いくつかの実施形態では、ＭＭＵ４４０は、プロセッサ４０２の一部として含むことができる。
【００４０】
やはり図に示されているように、ＳＯＣ４００は、ＵＥ１０６の様々な他の回路に結合することができる。例えばＵＥ１０６は、様々なタイプのメモリ（例えばＮＡＮＤフラッシュ４１０を含む）、コネクタインタフェース４２０（例えばコンピュータシステム、ドック、チャージングステーション、等々に結合するための）、ディスプレイ４６０および無線通信回路４３０（例えばＬＴＥ、ＣＤＭＡ２０００、Ｂｌｕｅｔｏｏｔｈ、ＷｉＦｉ、等々のための）を含むことができる。
【００４１】
上で言及したように、ＵＥ１０６は、複数の無線通信技術を使用して無線で通信するように構成することができる。上でさらに言及したように、このような実例では、無線通信回路（無線機）４３０は、複数の無線通信技術間で共有される無線構成要素、および／または単一の無線通信技術に従って排他的に使用するように構成される無線構成要素を含むことができる。図に示されているように、ＵＥデバイス１０６は、セルラ基地局および／または他のデバイスとの無線通信を実施するために、少なくとも１つのアンテナ（および様々な可能性の中でもとりわけ、恐らくは例えばＭＩＭＯのため、および／または異なる無線通信技術を実施するための複数のアンテナ）を含むことができる。例えばＵＥデバイス１０６は、アンテナ４３５を使用して無線通信を実施することができる。
【００４２】
本明細書において説明されているように、ＵＥ１０６は、本明細書において説明されているような１つまたは複数の無線通信技術を使用して通信するための特徴を実施するためのハードウェア構成要素およびソフトウェア構成要素を含むことができる。ＵＥデバイス１０６のプロセッサ４０２は、例えば記憶媒体（例えば非一時的コンピュータ可読記憶媒体）上に記憶されているプログラム命令を実行することにより、本明細書において説明されている特徴の一部またはすべてを実施するように構成することができる。別法として（または追加として）、プロセッサ４０２は、ＦＰＧＡ（書替え可能ゲートアレイ）などのプログラム可能ハードウェア要素として、あるいはＡＳＩＣ（特定用途用集積回路）として構成することも可能である。別法として（または追加として）、ＵＥデバイス１０６のプロセッサ４０２は、他の構成要素４００、４０４、４０６、４１０、４２０、４３０、４３５、４４０、４５０、４６０のうちの１つまたは複数と共に、本明細書において説明されている特徴の一部またはすべてを実施するように構成することも可能である。
図５−基地局
【００４３】
図５は、基地局１０２の一例示的ブロック図を示したものである。図５の基地局は、可能基地局の単なる一例にすぎないことに留意されたい。図に示されているように、基地局１０２は、基地局１０２のためのプログラム命令を実行することができるプロセッサ５０４を含むことができる。また、プロセッサ５０４は、プロセッサ５０４からアドレスを受け取り、これらのアドレスをメモリ（例えばメモリ５６０およびリードオンリメモリ（ＲＯＭ）５５０）内の記憶場所に翻訳するように構成することができるメモリ管理ユニット（ＭＭＵ）５４０に結合することができ、あるいは他の回路またはデバイスに結合することも可能である。
【００４４】
基地局１０２は、少なくとも１つのネットワークポート５７０を含むことができる。ネットワークポート５７０は、電話ネットワークに結合し、ＵＥデバイス１０６などの複数のデバイスを提供し、上で説明した電話ネットワークにアクセスするように構成することができる。
【００４５】
ネットワークポート５７０（または追加ネットワークポート）は、やはりまたは別法として、セルラネットワーク、例えばセルラサービスプロバイダのコアネットワークに結合するように構成することも可能である。コアネットワークは、移動性に関連するサービスおよび／または他のサービスをＵＥデバイス１０６などの複数のデバイスに提供することができる。いくつかのケースでは、ネットワークポート５７０は、コアネットワークを介して電話ネットワークに結合することができ、および／またはコアネットワークは電話ネットワークを提供することができる（例えば、とりわけ、セルラサービスプロバイダによってサービスされるＵＥデバイスの中でも）。
【００４６】
基地局１０２は、少なくとも１つのアンテナ５３４を含むことができる。この少なくとも１つのアンテナ５３４は、無線トランシーバとして動作するように構成することができ、また、無線機５３０を介してＵＥデバイス１０６と通信するようにさらに構成することができる。アンテナ５３４は、通信チェーン５３２を介して無線機５３０と通信する。通信チェーン５３２は、受信チェーン、送信チェーンまたはそれらの両方であってもよい。無線機５３０は、それらに限定されないが、ＬＴＥ、ＧＳＭ、ＷＣＤＭＡ（登録商標）、ＣＤＭＡ２０００、等々を始めとする様々な無線通信技術を介して通信するように構成することができる。
【００４７】
基地局１０２のプロセッサ５０４は、例えば記憶媒体（例えば非一時的コンピュータ可読記憶媒体）上に記憶されているプログラム命令を実行することにより、本明細書において説明されている方法の一部またはすべてを実施するように構成することができる。別法として、プロセッサ５０４は、ＦＰＧＡ（書替え可能ゲートアレイ）などのプログラム可能ハードウェア要素として、あるいはＡＳＩＣ（特定用途用集積回路）またはそれらの組合せとして構成することも可能である。
図６Ａおよび６Ｂ−単一ＲＡＴモード
【００４８】
図６Ａは、単一ＲＡＴモードで動作中の方法を示す流れ図である。この方法は、複数のＲＡＴを使用して通信するように構成することができる無線ＵＥデバイス（ＵＥ１０６など）によって実施することができる。図６Ａに示されている方法は、とりわけ、上記のこれらの図に示した任意のシステムまたはデバイスと共に使用することができる。様々な実施形態では、図に示されている方法要素のいくつかは、同時に、または図に示されている順序とは異なる順序で実施することができ、あるいは省略することも可能である。また、必要に応じて追加方法要素を実施することも可能であることに留意されたい。この方法は以下のように実施することができる。
【００４９】
図に示されているように、方法は、単一ＲＡＴモードにある間に６０２で開始することができる。単一ＲＡＴモードは、ＬＴＥなどのパケット交換技術であってもよい第１のＲＡＴに対応することができる。以下で説明するように、方法は、後に、２つの技術（第１のＲＡＴおよび第２のＲＡＴ）を同時に使用することができる二重ＲＡＴモードに入ることができる。第２のＲＡＴは、回線交換技術または１ｘあるいはＧＳＭ技術などのより低い世代の技術であってもよい。一実施形態では、両方のＲＡＴを使用して接続を維持するために、例えば第１のＲＡＴから第２のＲＡＴまで周期的にチューニングアウェイすることにより、単一の無線機を両方のＲＡＴのために同時に使用することができる。別法として、必要に応じて複数の無線機を使用して２つのＲＡＴを実施することも可能である。
【００５０】
いくつかの実施形態では、方法は、以下でより詳細に説明する１つまたは複数のカウンタの使用を含むことができる。例えば単一ＲＡＴモードに対応するカウンタ（以下、「単一ＲＡＴカウンタ」と呼ぶ）、および／または二重ＲＡＴモードに対応するカウンタ（以下、「二重ＲＡＴカウンタ」と呼ぶ）を存在させることができる。一実施形態では、これらのカウンタは０の値に初期設定することができる。さらに、カウンタは、新しいＲＲＣ接続で０にリセットすることができる。しかしながらこの方法は、必要に応じてカウンタなしで実施することも可能である。
【００５１】
図に示されている実施形態では、以下で説明するステップは、アイドルモードにある間に実施することができる。したがって一例示的実施形態では、方法は、６０４で示されているようにアイドルモードにある間のみ継続することができる。しかしながら、場合によっては、必要に応じてアイドルではない間にこの方法を適用することができる他の実施形態を存在させることも可能であることに留意されたい。
【００５２】
６０４に引き続いて、６０６で、第１のＲＡＴについての現在のネットワーク状態を、例えば、個々の不連続受信（ＤＲＸ：ｄｉｓｃｏｎｔｉｎｕｏｕｓ  ｒｅｃｅｐｔｉｏｎ）ウェイクアップサイクル内であってもよい個々のスケジュールされたウェイクアップ周期で測定することができる。一実施形態では、方法は、図に示されているように第１のＲＡＴについての現在の経路損失を決定することができるが、他のメトリックスを使用することも可能である。
【００５３】
現在のネットワーク状態は、現在のネットワーク状態を測定するために使用されるメトリックに関連する閾値と比較することができる。例えば経路損失が使用される場合、現在の経路損失と第１の経路損失閾値とを比較することができる。この第１の経路損失閾値は、第１のＲＡＴを使用して呼を維持することが可能と思われる値、および／または経路損失が閾値を超えると、呼を維持することができない値（または呼を維持することが不可能と思われる値）に設定することができる。一実施形態では、経路損失閾値はバッファを有することができ、このバッファの前では呼を維持することができない。この比較の結果、以下で説明する６０８および６０９に分岐することになる。この説明の残りの部分には経路損失メトリックが使用されているが、この方法は、必要に応じて任意の他のメトリックまたはメトリックスの組合せに拡張することができることに留意されたい。
【００５４】
６０８を参照すると、経路損失が第１の経路損失閾値を超えている場合、二重ＲＡＴカウンタを増加させることができる。経路損失と閾値の比較は様々な方法で実施することができることに留意されたい。例えば一実施形態では、経路損失は、第１の経路損失閾値と直接比較することができるが、代替実施形態では、表現式は、最大許容経路損失−現在の経路損失＜＝Ｘ？になる。この代替表現式には、場合によっては最大許容経路損失に関連する値が存在し、現在の経路損失からその値を引いた結果を閾値Ｘと比較することができる。しかしながらこの表現式も、既に言及した第１の経路損失閾値に容易に変換することができる。
【００５５】
この方法は、６１０で、二重ＲＡＴカウンタが二重ＲＡＴ閾値を超えているかどうかを決定することができる。超えていない場合、方法は６０４に戻ることができる。二重ＲＡＴカウンタが二重ＲＡＴ閾値を超えている場合、方法は引き続いて６１２へ進行する。
二重ＲＡＴカウンタが二重ＲＡＴ閾値を超えている場合、６１２で単一ＲＡＴカウンタをリセットすることができる。
【００５６】
６１４で第２のＲＡＴのネットワーク状態を決定することができる。ネットワーク状態は、この場合も任意の所望のメトリックを使用して測定することができる。一実施形態では、６１２で使用されるメトリックは、６０６で決定されるメトリック、例えば経路損失と同様であってもよい。経路損失は、この場合も例示的メトリックとしてこれらの説明に使用されることになるが、他のメトリックスも想定されている。
【００５７】
この方法は、６１６で第２のＲＡＴの経路損失が第１のＲＡＴの経路損失より良好であるかどうか（例えば第１のＲＡＴの経路損失未満であるかどうか）を決定することができる。言い換えると、この方法は、測定された経路損失に基づいて第２のＲＡＴの方が第１のＲＡＴより呼をより維持しそうであるかどうかを決定することができる。第２のＲＡＴの経路損失が第１のＲＡＴの経路損失より良好であり、例えば閾値量を超える場合、方法は、６１８で二重ＲＡＴモードに切り換えることができる。しかしながら第２のＲＡＴの経路損失が第１のＲＡＴの経路損失より良好ではない場合、方法は６０４に戻ることができる。
【００５８】
６０９を参照すると、現在の経路損失が第１の経路損失閾値を超えていない場合（あるいは別の表現式で表すと、最大許容経路損失−現在の経路損失＞Ｘ？である場合）、単一ＲＡＴカウンタを増加させることができる。
【００５９】
この方法は、６１１で単一ＲＡＴカウンタと単一ＲＡＴ閾値を比較する。単一ＲＡＴカウンタが単一ＲＡＴ閾値を超えていない場合、方法は６０４に戻ることができる。別法として６１３で、単一ＲＡＴ閾値を超えている単一ＲＡＴカウンタに基づいて二重ＲＡＴカウンタをリセットすることができ、また、方法は６０４に戻ることができる。
【００６０】
したがってこの流れ図の両側を比較すると、二重ＲＡＴカウンタによって示されるように経路損失が繰り返し経路損失閾値を超える場合は、第２のＲＡＴの品質を比較することができ、また、それが適切な品質を有している場合、モードを単一ＲＡＴモードから二重ＲＡＴモードに切り換えることができる。したがってネットワーク品質が必要な閾値未満であるか、あるいは低下している場合、このような切換えが生じることが考えられる。一方、単一ＲＡＴカウンタによって示されるように経路損失が繰り返し経路損失閾値未満になる場合は、二重ＲＡＴカウンタをリセットすることができる。したがって単一ＲＡＴモードから二重ＲＡＴモードに切り換えることになる新しい一組の反復経路損失の失敗が要求されることになる。
【００６１】
この方法は、どちらかのカウンタが連続的な失敗を示すか、あるいは経路損失閾値に対する経路損失比較が合格することを必要とするように修正することができることに留意されたい。例えば単一ＲＡＴカウンタを使用して、経路損失比較の反復する連続的な失敗を表すことができる。したがってこのような実施形態では、モードは、累積回数ではなく、反復する連続回数にわたって試験に失敗しない限り、単一ＲＡＴモードから二重ＲＡＴモードに切り換えられない。二重ＲＡＴカウンタに対しても同様である。
【００６２】
図６Ｂは、単一ＲＡＴモードで動作中の方法を示す流れ図であり、上記説明と同様、とりわけ例示的連続実施形態に適用することができる。この方法は、複数のＲＡＴを使用して通信するように構成することができる無線ＵＥデバイス（ＵＥ１０６など）によって実施することができる。図６Ｂに示されている方法は、とりわけ、上記のこれらの図に示した任意のシステムまたはデバイスと共に使用することができる。様々な実施形態では、図に示されている方法要素のいくつかは、同時に、または図に示されている順序とは異なる順序で実施することができ、あるいは省略することも可能である。また、必要に応じて追加方法要素を実施することも可能であることに留意されたい。この方法は以下のように実施することができる。
【００６３】
図６Ｂの実施形態は、とりわけ、二重ＲＡＴカウンタが連続的に二重ＲＡＴ閾値を超えなければならず、また、累積値などの他の可能性を排他することができる実施形態に適用することができる点を除き、ステップ６５２、６５４、６５６、６５８、６６０、６６４、６６６および６６８は、それぞれ６０２、６０４、６０６、６０８、６１０、６１４、６１６および６１８と同様に動作することができる。この実施形態では、単一ＲＡＴカウンタは、場合によっては図６Ｂのプロセスのためには不要である。より詳細には、図６Ｂは連続実施形態に対応しているため、単一ＲＡＴカウンタを維持する必要はなく、また、経路損失が閾値未満である場合、ＵＥは、６５９に示されているように単一ＲＡＴモードを維持することができ、また、単純に二重ＲＡＴカウンタをリセットすることができる。
図７Ａおよび７Ｂ−二重ＲＡＴモード
【００６４】
図７Ａは、二重ＲＡＴモードで動作中の方法を示す流れ図である。この方法は、複数のＲＡＴを使用して通信するように構成することができる無線ＵＥデバイス（ＵＥ１０６など）によって実施することができる。図７Ａに示されている方法は、とりわけ、上記のこれらの図に示した任意のシステムまたはデバイスと共に使用することができる。例えば図７Ａは、単一ＲＡＴモードから二重ＲＡＴモードに切り換った後の図６Ａの続きと見なすことができる。追加または別法として、図６Ａは、二重ＲＡＴモードから単一ＲＡＴモードに切り換った後の図７Ａの続きと見なすことができる。様々な実施形態では、図に示されている方法要素のいくつかは、同時に、または図に示されている順序とは異なる順序で実施することができ、あるいは省略することも可能である。また、必要に応じて追加方法要素を実施することも可能であることに留意されたい。この方法は以下のように実施することができる。
【００６５】
図に示されているように、方法は、例えば図６で説明した第１のＲＡＴおよび第２のＲＡＴを使用して、二重ＲＡＴモードにある間に７０２で開始することができる。一実施形態では、両方のＲＡＴを使用して接続を維持するために、二重ＲＡＴモードの間、例えば第１のＲＡＴから第２のＲＡＴまで周期的にチューニングアウェイすることにより、単一の無線機を両方のＲＡＴのために同時に使用することができる。別法として、必要に応じて複数の無線機を使用して２つのＲＡＴを実施することも可能である。
【００６６】
図６Ａと同様、方法は、１つまたは複数のカウンタ、例えば単一ＲＡＴカウンタおよび二重ＲＡＴカウンタの使用を含むことができる。一実施形態では、これらのカウンタは、例えば二重ＲＡＴモードに入ると０の値に初期設定することができる。さらに、カウンタは、新しいＲＲＣ接続で０にリセットすることができる。しかしながらこの方法は、例えば図６Ａの方法の実施態様から得られる先行するカウンタ値を維持することも可能である。さらに、この方法は、必要に応じてカウンタなしで実施することも可能である。
【００６７】
図に示されている実施形態では、以下で説明するステップは、アイドルモードにある間に実施することができる。したがって一例示的実施形態では、方法は、７０４で示されているようにアイドルモードにある間、例えばＵＥが第１のＲＡＴおよび第２のＲＡＴの両方でアイドルである間のみ継続することができる。しかしながら、場合によっては、必要に応じてアイドルではない間にこの方法を適用することができる他の実施形態を存在させることも可能であることに留意されたい。
【００６８】
７０４に引き続いて、７０６で、第１のＲＡＴについての現在のネットワーク状態を、例えば、個々の不連続受信（ＤＲＸ）ウェイクアップサイクル内であってもよい個々のスケジュールされたウェイクアップ周期で測定することができる。一実施形態では、方法は、図に示されているように第１のＲＡＴについての現在の経路損失を決定することができるが、他のメトリックスを使用することも可能である。
【００６９】
第１のＲＡＴについての現在のネットワーク状態は、現在のネットワーク状態を測定するために使用されるメトリックに関連する閾値と比較することができる。例えば経路損失が使用される場合、現在の経路損失と第２の経路損失閾値とを比較することができる。この第２の経路損失閾値は、第１のＲＡＴを使用して呼を維持することが可能である値、および／または経路損失が閾値を超えると、呼を維持することができない値（または呼を維持することが不可能と思われる値）に設定することができる。しかしながら、第２の経路損失閾値は、例えばヒステリシスのために図６で説明した第１の経路損失閾値とは異なっていてもよいことに留意されたい。別の表現式で表すと、最大許容経路損失−現在の経路損失＜＝Ｙ（または＞Ｙ）？であり、Ｙは、上の図５で使用されるＸとは異なっていてもよい。しかしながらいくつかの実施形態では、必要に応じて２つの閾値は同じであってもよい。この比較の結果、以下で説明する７０８および７０９に分岐することになる。この説明の残りの部分には経路損失メトリックが使用されているが、この方法は、必要に応じて任意の他のメトリックまたはメトリックスの組合せに拡張することができることに留意されたい。
【００７０】
７０８を参照すると、経路損失が第２の最大経路損失閾値を超えている場合、二重ＲＡＴカウンタを増加させることができる。上で説明したように、経路損失と閾値の比較は様々な方法で実施することができることに留意されたい。例えば一実施形態では、経路損失は、第２の最大経路損失閾値と直接比較することができるが、代替実施形態では、表現式は、最大許容経路損失−現在の経路損失＜＝Ｙ？になる。この代替表現式には、場合によっては最大許容経路損失に関連する値が存在し、現在の経路損失からその値を引いた結果を閾値Ｙと比較することができる。しかしながらこの表現式も、既に言及した第２の最大経路損失閾値に容易に変換することができる。
【００７１】
この方法は、７１０で、二重ＲＡＴカウンタが二重ＲＡＴ閾値を超えているかどうかを決定することができる。超えていない場合、方法は７０４に戻ることができる。二重ＲＡＴカウンタが二重ＲＡＴ閾値を超えている場合、方法は引き続いて７１２へ進行することができ、７１２で単一ＲＡＴカウンタを０にリセットすることができ、また、方法は７０４に戻ることができる。二重ＲＡＴ閾値および単一ＲＡＴ閾値は、必要に応じて、図６Ａで説明した閾値とは異なっていても、あるいは同じであってもよいことに留意されたい。
【００７２】
７０９に戻ると、現在の経路損失が第１の最大経路損失閾値を超えていない場合（あるいは別の表現式で表すと、最大許容経路損失−現在の経路損失＞Ｙ？である場合）、単一ＲＡＴカウンタを増加させることができる。
【００７３】
この方法は、７１１で単一ＲＡＴカウンタと単一ＲＡＴ閾値を比較する。単一ＲＡＴカウンタが単一ＲＡＴ閾値を超えていない場合、方法は７０４に戻ることができる。別法として７１３で、単一ＲＡＴ閾値を超えている単一ＲＡＴカウンタに基づいて二重ＲＡＴカウンタをリセットすることができ、また、７１５でモードを二重ＲＡＴモードから単一ＲＡＴモードに切り換えることができる。
【００７４】
したがってこの流れ図の両側を比較すると、単一ＲＡＴカウンタによって示されるように経路損失が繰り返し第２の最大経路損失閾値未満である場合は、例えばバックアップとして第２のＲＡＴを必要とすることなく第１のＲＡＴが呼を維持することができることを経路損失が示しているため、方法は単一ＲＡＴモードに復帰することができる。一方、二重ＲＡＴカウンタによって示されるように経路損失が繰り返し最大経路損失閾値を超える場合は、単一ＲＡＴカウンタをリセットすることができる。一方、単一ＲＡＴカウンタによって示されるように経路損失が繰り返し最大経路損失閾値未満である場合は、モードを二重ＲＡＴモードから単一ＲＡＴモードに切り換えることができる。したがってネットワーク品質が必要な閾値より高いか、あるいは改善の方向にある場合、このような切換えが生じることが考えられる。
【００７５】
図６Ａに関連して説明したように、この場合も、この方法は、どちらかのカウンタが連続的な失敗を示すか、あるいは経路損失閾値に対する経路損失比較が合格することを必要とするように修正することができることに留意されたい。例えば単一ＲＡＴカウンタを使用して、経路損失比較の反復する連続的な失敗を表すことができる。したがってこのような実施形態では、モードは、累積回数ではなく、反復する連続回数にわたって試験に失敗しない限り、単一ＲＡＴモードから二重ＲＡＴモードに切り換えられない。二重ＲＡＴカウンタに対しても同様である。
【００７６】
図６Ｂと同様、図７Ｂは、二重ＲＡＴモードで動作中の方法を示す流れ図であり、とりわけ上で説明した連続実施形態に適用することができる。この方法は、複数のＲＡＴを使用して通信するように構成することができる無線ＵＥデバイス（ＵＥ１０６など）によって実施することができる。図７Ｂに示されている方法は、とりわけ、上記のこれらの図に示した任意のシステムまたはデバイスと共に使用することができる。例えば図７Ｂは、単一ＲＡＴモードから二重ＲＡＴモードに切り換った後の図６Ｂの続きと見なすことができる。追加または別法として、図６Ｂは、二重ＲＡＴモードから単一ＲＡＴモードに切り換った後の図７Ｂの続きと見なすことができる。様々な実施形態では、図に示されている方法要素のいくつかは、同時に、または図に示されている順序とは異なる順序で実施することができ、あるいは省略することも可能である。また、必要に応じて追加方法要素を実施することも可能であることに留意されたい。この方法は以下のように実施することができる。
【００７７】
図７Ｂの実施形態は、とりわけ、単一ＲＡＴカウンタが連続的に単一ＲＡＴ閾値を超えなければならず、また、累積値などの他の可能性を排他することができる実施形態に適用することができる点を除き、ステップ７５２、７５４、７５６、７５９、７６１、７６３および７６５は、それぞれ７０２、７０４、７０６、７０９、７１１、７１３および７１５と同様に動作することができる。この実施形態では、二重ＲＡＴカウンタは、場合によっては図７Ｂのプロセスのためには不要である。より詳細には、図７Ｂは連続実施形態に対応しているため、二重ＲＡＴカウンタを維持する必要はなく、また、経路損失が閾値を超えている場合、ＵＥは、７５８に示されているように二重ＲＡＴモードを維持することができ、また、単純に単一ＲＡＴカウンタをリセットすることができる。
例示的動作
【００７８】
以下は、様々な閾値および経路損失の例示的値を使用して、図６および７の流れ図に対応する例示的動作を示したものである。しかしながらこの説明されている動作および値は単に例示的なものにすぎず、ここで説明されている実施形態を何ら制限するものではない。
【００７９】
説明されている動作では、経路損失閾値は、最大経路損失（ＭＡＰＬ：ｍａｘｉｍｕｍ  ｐａｔｈ  ｌｏｓｓ）−経路損失（ＰＬ：ｐａｔｈ  ｌｏｓｓ）＜＝（または＞）ＸおよびＭＡＰＬ−ＰＬ＜＝（または＞）Ｙを使用して実施することができる。ＭＡＰＬは１００ｄＢの値に設定することができる（９５ｄＢまたは１０５ｄＢなどの他の値も想定されているが）。Ｘは３であってもよく、また、Ｙは４であってもよい。図６に対応する動作の場合、二重ＲＡＴモードカウンタ閾値は５にすることができ、また、単一ＲＡＴモードカウンタ閾値は１にすることができる。図７に対応する動作の場合、単一ＲＡＴモードカウンタ閾値は６にすることができ、また、二重ＲＡＴモードカウンタ閾値は１にすることができる。
【００８０】
一例によれば、方法は、最初は、２つのカウンタが０の値に設定され、現在の経路損失が９８である単一ＲＡＴモードで開始することができる。したがって１００−９８＝２であり、これは閾値３（Ｘ）未満である。したがって二重ＲＡＴカウンタが０から１に増加される。
【００８１】
第２の繰返しでは経路損失は９０ｄＢである。したがって１００−９０＝１０であり、これは閾値３より大きい。したがって二重ＲＡＴカウンタは、単一ＲＡＴカウンタのためのカウンタ閾値が１であるため、１から０にリセットすることができる。また、同じ理由で単一ＲＡＴカウンタも０にリセットすることができる。
【００８２】
次の繰返しでは経路損失は９８である。したがって１００−９８＝２であり、これは閾値３未満である。したがって単一ＲＡＴカウンタを１に増加することができる。
【００８３】
次の繰返しでは経路損失は９９であり、したがって単一ＲＡＴカウンタを２に増加することができる。このプロセスは、カウンタが５に増加されるまで、ＭＡＰＬ−ＰＬが３より大きくなる点が全く存在することなく継続することができ、第２のＲＡＴに対する第１のＲＡＴの品質の比較をもたらす。第２のＲＡＴが第１のＲＡＴより高い品質を有していることが決定されると、モードを単一ＲＡＴモードから二重ＲＡＴモードに切り換えることができる。
【００８４】
二重ＲＡＴモードに入ると、２つのカウンタは再び０の値に設定される。第１の繰返しでは経路損失は９５である。したがって１００−９５＝５であり、これは４より大きい。したがって単一ＲＡＴモードが０から１に増加される。
【００８５】
第２の繰返しでは経路損失は９６である。したがって１００−９６＝４であり、これは閾値Ｙに等しい。したがって二重ＲＡＴモードカウンタ閾値が１であるため、単一ＲＡＴモードカウンタがリセットされる。さらに、二重ＲＡＴモードカウンタ閾値が１であるため、二重ＲＡＴモードカウンタが１に増加され、次にリセットされる。
【００８６】
次の繰返しでは、経路損失は６回連続して９５以下である。したがってモードを二重ＲＡＴモードから単一ＲＡＴモードに切り換えることができる。
登録に基づく二重ＲＡＴモード
【００８７】
上で説明した実施形態に加えて、ＵＥは、他の考察事項、例えば従来のネットワークすなわち回線交換ネットワークのための登録に基づいて二重ＲＡＴモードに入ることも可能である。例えばＵＥが第１のＲＡＴ（例えばＬＴＥ）を使用して通信しているが、呼のための入力ページの受信に失敗するか、あるいはネットワークが入力ページに対するＵＥの応答を受信しない状況が存在している可能性がある。これらの状況では、ネットワークは、ＬＴＥ通信に関連する問題が存在していることを仮定することができ、第２のＲＡＴ（例えば回線交換ＲＡＴ）を介してページを送ることができる。しかしながら第２のＲＡＴ上でページを受け取るためには、ＵＥは、今日までの第２のＲＡＴのその登録を維持しなければならない。したがってＵＥは、第２のＲＡＴのための登録または再登録を実施するために、場合によっては登録規則に基づいて周期的に単一ＲＡＴモードから二重ＲＡＴモードに切り換える必要がある。
図８−登録に基づく二重ＲＡＴモード
【００８８】
図８は、単一ＲＡＴモードで動作中の方法を示す流れ図である。この方法は、複数のＲＡＴを使用して通信するように構成することができる無線ＵＥデバイス（ＵＥ１０６など）によって実施することができる。図８に示されている方法は、とりわけ、上記のこれらの図に示されている任意のシステムまたはデバイスと共に使用することができる。様々な実施形態では、図に示されている方法要素のいくつかは、同時に、または図に示されている順序とは異なる順序で実施することができ、あるいは省略することも可能である。また、必要に応じて追加方法要素を実施することも可能であることに留意されたい。この方法は以下のように実施することができる。
【００８９】
ＵＥは、８０２で最初に二重ＲＡＴモードに入ることができる。二重ＲＡＴモードでは、ＵＥは、第１のＲＡＴ（例えばＬＴＥ）を使用して第１の基地局と通信することができ、および／またはＵＥを第２のＲＡＴで登録することができる（例えば第２のＲＡＴに関連する第２の基地局と通信することによって）。いくつかの実施形態では、８０２は、ＵＥをパワーアップする際に、または他の同様の状況の際に実施することができる。
【００９０】
ＵＥは、８０４で単一ＲＡＴモードに入り、第１のＲＡＴのみを使用して通信することができる。
【００９１】
ＵＥは、８０６で、例えば単一ＲＡＴモードにある間に、第２のＲＡＴのための登録を実施すべきかどうかを決定することができる。例えばこの決定は、第２のＲＡＴに関連する様々な登録規則に基づくことができる。一般に、登録規則は、時間をベースとする登録規則として、あるいは位置をベースとする登録規則として分類することができる。例えば時間をベースとする登録規則は、ＵＥが例えばタイマに基づいて周期的に登録しなければならない規則であってもよい。したがって８０６における決定は、最後の登録からの時間が閾値タイマ値を超えたかどうか、あるいはタイマが第２のＲＡＴの登録が消滅したことの単純な決定であってもよい。
【００９２】
位置をベースとする登録規則は、基地局の変化、ゾーンの変化、追跡領域の変化、等々などの様々な要因に関連していてもよい。ＵＥは、第２のＲＡＴで登録するかどうかを決定するために、様々なトリガに応答して二重ＲＡＴモードに入ることができる。一例として、ＵＥは、ＵＥが第１のＲＡＴのための基地局を切り換えると二重ＲＡＴモードに入り、位置をベースとする何らかの規則が第２のＲＡＴのための登録を必要としているかどうかを決定することができる。他の例として、ＵＥは、ＧＰＳを介して位置の変化を測定することができ、また、閾値距離を通過すると、ＵＥは、登録すべきかどうかを決定するために第２のＲＡＴ上で通信することができる（例えば第２のＲＡＴの位置をベースとする登録規則に基づいて）。
【００９３】
ＵＥは、８０８で、８０６の決定に基づいて、例えば二重ＲＡＴモードにある間に第２のＲＡＴで登録することができる。
【００９４】
登録が終了すると、ＵＥは、８１０で再び単一ＲＡＴモードに入ることができる。
電力消費に基づく二重ＲＡＴモード
【００９５】
上で説明した実施形態に加えて、ＵＥは、他の考察事項、例えば単一ＲＡＴモードで第１のＲＡＴを使用して通信する際の電力使用に基づいて二重ＲＡＴモードに入ることも可能である。より詳細には、第１のＲＡＴ（例えばＬＴＥのｅノードＢ）の基地局は、音声呼の間、電力消費に影響を及ぼすパラメータを実施することができる。いくつかの実施形態では、これらのパラメータは個々の基地局専用である。したがって基地局のパラメータによって電力消費が望ましいレベルを超えると、ＵＥは、電力の使用がより少ない第２のＲＡＴ上で音声呼を実施するために二重ＲＡＴモードに入ることができる。例えば音声呼を実施する場合に、その音声呼が第２のＲＡＴ上で実施された場合よりも第１のＲＡＴ上で実施されるパラメータの方が多くの電力消費をもたらすことになる場合、ＵＥは、第２のＲＡＴを使用して音声呼を実施するために二重ＲＡＴモードに入ることができる。この決定は、ＵＥが新しい基地局に接続する毎に実施することができる。
【００９６】
いくつかの実施形態では、この電力消費は「トーク時間」で表すことができる。例えば第１のＲＡＴのためのＵＥのトーク時間が第２のＲＡＴのためのＵＥのトーク時間より短い場合（つまり音声呼のために第１のＲＡＴを使用した方が第２のＲＡＴを使用した場合よりも速く電池が消費される場合）、ＵＥは、第２のＲＡＴを使用して音声呼するために二重ＲＡＴモードに入ることができる。
図９−電力消費に基づく二重ＲＡＴモード
【００９７】
図９は、単一ＲＡＴモードで動作中の方法を示す流れ図である。この方法は、複数のＲＡＴを使用して通信するように構成することができる無線ＵＥデバイス（ＵＥ１０６など）によって実施することができる。図９に示されている方法は、とりわけ、上記のこれらの図に示されている任意のシステムまたはデバイスと共に使用することができる。様々な実施形態では、図に示されている方法要素のいくつかは、同時に、または図に示されている順序とは異なる順序で実施することができ、あるいは省略することも可能である。また、必要に応じて追加方法要素を実施することも可能であることに留意されたい。この方法は以下のように実施することができる。
【００９８】
ＵＥは、９０２で、第１のＲＡＴに関連するパラメータであって、例えばＵＥが現在接続されているその第１のＲＡＴの第１の基地局専用であるパラメータを決定することができる。
【００９９】
ＵＥは、９０４で、第１のＲＡＴを使用して音声通信する場合の電力消費が所望のレベルより多いことをパラメータが示しているかどうかを決定することができる。例えばＵＥは、第１のＲＡＴを使用して音声通信を実施する場合、第２のＲＡＴを使用して音声通信を実施する場合の電力消費よりも第１のＲＡＴのパラメータの方が多くの電力を消費することになるかどうかを決定することができる。一実施形態では、ＵＥは、第１のＲＡＴを使用して利用することができるトーク時間（例えば電池が音声通信を許容することができる残りの時間または分）と、第２のＲＡＴを使用して利用することができるトーク時間とを比較することができる。
【０１００】
例示的パラメータはＣＤＲＸパラメータを含むことができる。例えば場合によっては次のＣＤＲＸパラメータ範囲が望ましい。２〜４ｍｓのオンデュレーションパラメータレベル、２〜４ｍｓの非アクティビティタイマ、２個のＲｅＴｘタイマ、４０個のロングＤＲＸサイクル、等々。他のパラメータは、パケットバンドリング（例えば場合によっては２の値であることが望ましい）を含むことができる。動的スケジューリングを使用する場合、場合によってはＣＤＲＸオンデュレーションと整列した４０ｍｓ毎の許可が好ましい。さらに、スケジューリング要求が伝送される場合、場合によってはＣ−ＤＲＸオンデュレーションと整列した４０ｍｓの周期性が好ましい。半持続性スケジューリングを使用する場合、場合によってはＣ−ＤＲＸオンデュレーションと整列したｓｆ４０のｓｅｍｉＰｅｒｓｉｓｔｅｎＳｃｈｅｄＩｎｔｅｒｖａｌＵＬおよびｓｅｍｉＰｅｒｓｉｓｔｅｎＳｃｈｅｄＩｎｔｅｒｖａｌＤＬが好ましい。ＨＡＲＱの場合、場合によっては「ＴＴＩバンドリングなし」の場合の４伝送までの最大値、および「ＴＴＩバンドリングあり」の場合の１２伝送までの最大値が望ましい。ＣＱＩの場合、場合によっては非サポーティング「Ａｐｅｒｉｏｄｉｃ  ＣＱＩ  Ｓｕｐｐｏｒｔｅｄ」が望ましいが、８０ｍｓの周期性を有するサポーティング「Ｐｅｒｉｏｄｉｃ  ＣＱＩ  Ｓｕｐｐｏｒｔｅｄ」が場合によって望ましい。ＩＭＳ再登録の場合、場合によっては２時間の値が望ましい。これらのパラメータおよびパラメータ値は単なる例示的なものにすぎず、本明細書において説明されている実施形態を制限するものではないことに留意されたい。
【０１０１】
パラメータの評価は、必要に応じて個々のレベルまたは全体的なレベルで実施することができる。例えば個々のパラメータは、所望の範囲または値と比較することができる。これらのパラメータ値のうちの１つまたは閾値数が所望の範囲内または値ではない場合、９０４の決定は、電力消費が所望のレベルより高いことを示すことができる。別法として、ＵＥは、電力消費が所望のレベルより高いかどうかを決定するために、一組のパラメータの効果を比較することも可能である。
【０１０２】
電力消費が所望のレベルより高いことをパラメータが示している場合、ＵＥは、９０６で二重ＲＡＴモードに入ることができ、あるいはより一般的には第１のＲＡＴの代わりに第２のＲＡＴを使用して音声通信することができる。
【０１０３】
図９の方法は、ＵＥが第１のＲＡＴの新しい基地局に接続する毎に実施することができ、あるいはより一般的には第１のＲＡＴの基地局毎に実施することができる。
図１０および１１−データベース情報に基づくＲＡＴモードの選択
【０１０４】
図１０および１１は、様々なセルおよび／またはネットワークの情報に関連するデータベースのデータに基づいてＲＡＴモードを選択するための例示的方法を示す流れ図である。詳細には、ＵＥは、例えばＬＴＥ基地局毎に、ＬＴＥ：セルＩＤ、ＴＡＣ（追跡領域コード）、ＰＣＩ（物理セルＩＤ）、ＣＤＭＡ：ＳＩＤ（システムＩＤ）、ＮＩＤ（ネットワークＩＤ）、ゾーンＩＤ、ＢＳ  ＩＤ、ＰＮ（擬似雑音）シーケンス、ＬＴＥ上の呼の数、ＬＴＥ上の音声呼セットアップの成功率、ＬＴＥ上の正規音声呼終了率、等々の項目のうちの１つまたは複数を記憶するデータベースを維持することができるが、セル毎、ネットワーク毎、ＲＡＴ毎などの他の実体もやはり想定されている。
【０１０５】
図１０および１１の２つのＲＡＴは、ＬＴＥおよびＣＤＭＡとして説明され、示されているが、他のＲＡＴ、例えばそれらに限定されないが、ＬＴＥおよびＧＳＭならびに非ＬＴＥ  ＲＡＴ組合せもやはり想定されていることに留意されたい。したがってＲＡＴ  ＬＴＥおよびＣＤＭＡは単なる例示的なものにすぎず、ＲＡＴの他の組合せが想定されている。図１０および１１では、ＵＥは、最初は、例えば第１のＲＡＴのための単一ＲＡＴモードで動作することができる。
【０１０６】
図１０は、データベース情報に基づいてＲＡＴモードを選択するための方法を示す流れ図である。この方法は、複数のＲＡＴを使用して通信するように構成することができる無線ＵＥデバイス（ＵＥ１０６など）によって実施することができる。図１０に示されている方法は、とりわけ、上記のこれらの図に示されている任意のシステムまたはデバイスと共に使用することができる。様々な実施形態では、図に示されている方法要素のいくつかは、同時に、または図に示されている順序とは異なる順序で実施することができ、あるいは省略することも可能である。また、必要に応じて追加方法要素を実施することも可能であることに留意されたい。この方法は以下のように実施することができる。
【０１０７】
ＵＥは、１００２で例えばユーザ入力に基づいてパワーアップすることができる。
【０１０８】
ＵＥは、１００４で、第２のＲＡＴ、例えば第２のＲＡＴに関連する、この事例ではＣＤＭＡとして示されている基地局を得ることができる。
【０１０９】
ＵＥは、１００６で、第１のＲＡＴ、例えば第１のＲＡＴに関連する、この事例ではＬＴＥとして示されている基地局を得ることができる。
【０１１０】
ＵＥは、１００８で、第１のＲＡＴ（例えばＬＴＥ）上でアイドルにすることができ、また、第１のＲＡＴは、音声呼のための好ましいＲＡＴとして明確に示すことができる。
【０１１１】
１０１０で、デバイスが第１のＲＡＴ（例えばＬＴＥ）上の異なるセルへ移動すると、デバイスは第２のＲＡＴ（例えばＣＤＭＡ）を走査して、コロケーテッド第２のＲＡＴセルに関する詳細を決定することができる。しかしながら１０１０に続くステップは、他の時間に実施することも可能であり、つまりそれらは第１のＲＡＴのセルが変化する時間以外の時間に実施することも可能である。
【０１１２】
ＵＥは、１０１２で、例えば第１のＲＡＴの現在の基地局に対応するそのデータベースに問い合わせることができる。
【０１１３】
ＵＥは、１０１４で、データベースが第１のＲＡＴの基地局のための十分なサンプルサイズを有しているかどうかを決定することができる。
【０１１４】
データベースが第１のＲＡＴの基地局のための十分なサンプルサイズを有していない場合、方法は、アクションを取ることなく１０１６で完了することができる。例えばこの実例では、方法は、例えば現在のセルに関するより多くのデータを収集するために、依然として第１のＲＡＴ（例えばＬＴＥ）を使用することができる。
【０１１５】
データベースが第１のＲＡＴの基地局のための十分なサンプルサイズを有している場合、方法は１０１８へ進行し、そこでデバイスは、例えば現在のチャネル状態を決定することによって第１のＲＡＴの基地局が音声サービスのために適切であるかどうかを決定することができ、および／または変数（データベース内で見出される変数など）が基地局を使用して第１のＲＡＴ上での音声サービスをサポートするのに十分であるかどうかを決定することができる。例えば現在の第１のＲＡＴセルに関連するデータベースに記憶されている１つまたは複数の変数（または変数の組合せ）は、第１のＲＡＴ基地局が音声サービスをサポートすることができるかどうかを決定するために閾値と比較することができる。一例として音声呼セットアップ成功率は閾値と比較することができ、および／または第１のＲＡＴ上の音声呼終了率も閾値と比較することができる。これらのうちの一方または両方が閾値を超えると（多くの可能性のうちの一例として）、第１のＲＡＴは、音声サービスのために適切であると見なすことができる。音声呼品質閾値に対する先行する呼の音声呼品質などの他の比較（例えばいくつかのＬＴＥセルでは一般的であるジッタに基づく）も想定されている。
【０１１６】
第１のＲＡＴ基地局が適切ではない場合、デバイスは、１０２０で二重ＲＡＴモードに入ることができる（流れ図にはＳＲＬＴＥとして示されている）。
【０１１７】
第１のＲＡＴ基地局が適切である場合、例えば入力呼（例えば移動終了呼）は音声サービスのために第１のＲＡＴを使用することが可能であるため、１０２２でアクションを取らなくてもよい。
【０１１８】
１０２４で、生じる何らかの呼、例えば移動終了呼に関連するすべての変数を反映するデータベースをポピュレートすることができる。例えば呼セットアップが成功すると、第１のＲＡＴの基地局のための呼セットアップ率を更新することができる。同様に、呼セットアップが成功すると、データベースを更新して呼終了結果を反映することも可能である。呼の音声品質または他のメトリックスを更新することも可能である。
【０１１９】
図１１は、例えば呼セットアップの間、データベース情報に基づいてＲＡＴモードを選択するための方法を示す流れ図である。この方法は、複数のＲＡＴを使用して通信するように構成することができる無線ＵＥデバイス（ＵＥ１０６など）によって実施することができる。図１１に示されている方法は、とりわけ、上記のこれらの図に示されている任意のシステムまたはデバイスと共に使用することができる。様々な実施形態では、図に示されている方法要素のいくつかは、同時に、または図に示されている順序とは異なる順序で実施することができ、あるいは省略することも可能である。また、必要に応じて追加方法要素を実施することも可能であることに留意されたい。この方法は以下のように実施することができる。
【０１２０】
１１０２〜１１１０は、１００２〜１０１０と実質的に同じであってもよい。
【０１２１】
ユーザは、１１１２で音声呼を発信することができる。しかしながら代替実施形態では、１１１２および図１１は、必要に応じて、概ね移動終了呼に対応していてもよい。
【０１２２】
１１１４で、上記１０１２と同様、データベースに問い合わせることができる。
【０１２３】
ＵＥは、１１１６で、データベースが第１のＲＡＴの基地局のための十分なサンプルサイズを有しているかどうかを決定することができる。
【０１２４】
データベースが第１のＲＡＴの基地局のための十分なサンプルサイズを有している場合、ＵＥは、１１１８で、適切であればどのような基準でも使用して、第１のＲＡＴ（例えばＬＴＥ）上で呼を発信すべきかどうかを決定することができる。
【０１２５】
１１１６または１１１８のどちらかの結果が否定である場合、ＵＥは、第２のＲＡＴ（例えばＣＤＭＡ）を使用して音声呼することができる（例えば二重ＲＡＴモードに入り、第２のＲＡＴを使用して呼び出すことができる）。
【０１２６】
１１１６および１１１８の結果が肯定である場合、１１２２で、呼の結果を使用してデータベース（例えば第１のＲＡＴの現在の基地局のためのエントリ）をポピュレートすることができる。例えば上で説明した１０２４と同様、呼の呼セットアップ結果に基づいてデータベースを更新することができる。さらに、呼セットアップが成功すると（例えば第１のＲＡＴを使用して）、データベース（例えば第１のＲＡＴの現在の基地局のためのエントリ）を更新して呼終了結果を反映することができる。例えば将来の呼のために第１のＲＡＴの基地局を使用するかどうかを決定するために、音声品質または場合によってはデータベースのために有用な任意の他のメトリックスなどの他の変数を更新することも可能である。
【０１２７】
上で説明した実施形態は、場合によっては、単一無線音声呼連続性（ＳＲＶＣＣ）がネットワークによってサポートされない状況でとりわけ有用であるが、上で説明した実施形態は、サポートされる場合にも適用することができることに留意されたい。
例示的実施形態
番号が振られた以下の段落は、本開示の例示的実施形態を記述している。
【０１２８】
１．少なくとも第１の無線アクセス技術（ＲＡＴ）および第２のＲＡＴを使用して通信することができる無線機を有するユーザ機器（ＵＥ）を動作させるための方法であって、この方法は、第１のＲＡＴを使用して単一ＲＡＴモードで動作している間、第１のＲＡＴについての現在の経路損失が第１の最大経路損失閾値を超えているかどうかをＵＥによって決定するステップと、第１の最大経路損失閾値を超える現在の経路損失に基づいて、二重ＲＡＴモードで動作させることをＵＥによって決定するステップと、二重ＲＡＴモードで動作させる決定に基づいて、単一ＲＡＴモードにおける動作から二重ＲＡＴモードにおける動作にＵＥによって切り換えるステップとを含む。
【０１２９】
２．段落１の方法は、第１の最大経路損失閾値を超える現在の経路損失に基づいて第２のＲＡＴの経路損失を決定するステップをさらに含み、前記切り換えるステップは、やはり第２のＲＡＴの経路損失に基づいている。
【０１３０】
３．段落１〜２のいずれかの方法は、第１の最大経路損失閾値を超える現在の経路損失に基づいてカウンタを増加させるステップをさらに含み、前記切り換えるステップは、閾値を超えるカウンタに基づいている。
【０１３１】
４．段落１〜３のいずれかの方法は、後の時間に反復し、第１のＲＡＴについての現在の経路損失が第１の最大経路損失閾値を超えているかどうかを決定するステップと、現在の経路損失が第１の最大経路損失閾値を超えていないことに基づいてカウンタを修正するステップとをさらに含む。
【０１３２】
５．段落４の方法であって、前記カウンタを修正するステップは、カウンタをリセットするステップを含み、現在の経路損失が連続して閾値回数にわたって第１の最大経路損失閾値を超えないことに応答して実施される。
【０１３３】
６．段落１〜５のいずれかの方法は、第１のＲＡＴおよび第２のＲＡＴを使用して二重ＲＡＴモードで動作している間、第１のＲＡＴについての現在の経路損失が第２の最大経路損失閾値未満であるかどうかを決定するステップと、現在の経路損失が第２の最大経路損失閾値未満であることに基づいて単一ＲＡＴモードで動作させることを決定するステップと、二重ＲＡＴモードにおける動作から単一ＲＡＴモードにおける動作に切り換えるステップであって、単一ＲＡＴモードは第１のＲＡＴに対応しているステップとをさらに含む。
【０１３４】
７．段落６の方法であって、第１の最大経路損失閾値および第２の最大経路損失閾値は異なっている。
【０１３５】
８．段落１〜７のいずれかの方法であって、第１のＲＡＴはロングタームエボルーション（ＬＴＥ）を含み、また、第２のＲＡＴは回線交換技術を含む。
【０１３６】
９．ユーザ機器（ＵＥ）であって、ＵＥは、無線通信するように構成された１つまたは複数のアンテナを備えた無線機であって、少なくとも第１の無線アクセス技術（ＲＡＴ）および第２のＲＡＴを使用して通信するように構成される無線機と、無線機に結合された処理要素とを備えており、無線機および処理要素は、第１のＲＡＴおよび第２のＲＡＴを使用して二重ＲＡＴモードで動作している間、第１のＲＡＴについての現在の経路損失が第１の最大経路損失閾値未満であるかどうかを決定し、現在の経路損失が第１の最大経路損失閾値未満であることに基づいて単一ＲＡＴモードで動作させることを決定し、二重ＲＡＴモードにおける動作から単一ＲＡＴモードにおける動作に切り換えるように構成され、単一ＲＡＴモードは第１のＲＡＴに対応している。
【０１３７】
１０．段落９のＵＥであって、無線機および処理要素は、現在の経路損失が第１の最大経路損失閾値未満であることに基づいてカウンタを増加させるように構成され、前記切換えは、閾値を超えるカウンタに基づいている。
【０１３８】
１１．段落１０のＵＥであって、無線機および処理要素は、後の時間に反復し、第１のＲＡＴについての現在の経路損失が第１の最大経路損失閾値未満であるかどうかを決定し、現在の経路損失が第１の最大経路損失閾値を超えていることに基づいてカウンタを修正するように構成される。
【０１３９】
１２．段落１１のＵＥであって、カウンタの修正はカウンタのリセットを含み、現在の経路損失が連続して閾値回数にわたって第１の最大経路損失閾値を超えることに応答して実施される。
【０１４０】
１３．段落１１のＵＥであって、無線機および処理要素は、第１のＲＡＴおよび第２のＲＡＴを使用して単一ＲＡＴモードで動作している間、第１のＲＡＴについての現在の経路損失が第２の最大経路損失閾値を超えているかどうかを決定し、現在の経路損失が第２の最大経路損失閾値を超えていることに基づいて二重ＲＡＴモードで動作させることを決定し、二重ＲＡＴモードにおける動作の決定に基づいて単一ＲＡＴモードにおける動作から二重ＲＡＴモードにおける動作に切り換えるように構成される。
【０１４１】
１４．段落１３のＵＥであって、第１の最大経路損失閾値および第２の最大経路損失閾値は異なっている。
【０１４２】
１５．段落９〜１４のいずれかのＵＥであって、第１のＲＡＴはロングタームエボルーション（ＬＴＥ）を含み、また、第２のＲＡＴは回線交換技術を含む。
【０１４３】
１６．少なくとも第１のＲＡＴおよび第２のＲＡＴを使用して通信することができる無線機を有するユーザ機器（ＵＥ）のために単一無線アクセス技術（ＲＡＴ）モードで動作させるか、あるいは二重ＲＡＴモードで動作させるかどうかを決定するためのプログラム命令を記憶する非一時的コンピュータアクセス可能記憶媒体であって、プログラム命令は、第１のＲＡＴについての現在の経路損失が最大経路損失閾値を超えているかどうかを決定し、第１のＲＡＴについての現在の経路損失が最大経路損失閾値を超えているかどうかの決定の結果に基づいて、単一ＲＡＴモードで動作させるか、あるいは二重ＲＡＴモードで動作させるかどうかを決定し、単一ＲＡＴモードで動作させるか、あるいは二重ＲＡＴモードで動作させるかどうかの決定に基づいて、単一ＲＡＴモードまたは二重ＲＡＴモードで動作させるように、プロセッサによって実行可能である。
【０１４４】
１７．段落１６の非一時的コンピュータアクセス可能記憶媒体であって、現在の経路損失の前記決定は単一ＲＡＴモードにある間に実施され、第１のＲＡＴについての現在の経路損失が最大経路損失閾値を超えているかどうかの決定の結果は、最大経路損失閾値を超える現在の経路損失を含み、単一ＲＡＴモードで動作させるか、あるいは二重ＲＡＴモードで動作させるかどうかの前記決定は、二重ＲＡＴモードで動作させる決定を含み、単一ＲＡＴモードまたは二重ＲＡＴモードでの前記動作は、単一ＲＡＴモードから二重ＲＡＴモードへの切換えを含む。
【０１４５】
１８．段落１６〜１７のいずれかの非一時的コンピュータアクセス可能記憶媒体であって、現在の経路損失の前記決定は二重ＲＡＴモードにある間に実施され、第１のＲＡＴについての現在の経路損失が最大経路損失閾値を超えているかどうかの決定の結果は、最大経路損失閾値未満の現在の経路損失を含み、単一ＲＡＴモードで動作させるか、あるいは二重ＲＡＴモードで動作させるかどうかの前記決定は、単一ＲＡＴモードで動作させる決定を含み、単一ＲＡＴモードまたは二重ＲＡＴモードでの前記動作は、二重ＲＡＴモードから単一ＲＡＴモードへの切換えを含む。
【０１４６】
１９．段落１６〜１８のいずれかの非一時的コンピュータアクセス可能記憶媒体であって、プログラム命令は、第１のＲＡＴについての現在の経路損失が最大経路損失閾値を超えているかどうかの決定の結果に基づいてカウンタを修正するようにさらに実行可能であり、また、単一ＲＡＴモードで動作させるか、あるいは二重ＲＡＴモードで動作させるかどうかの前記決定はカウンタに基づいている。
【０１４７】
２０．段落１６〜１９のいずれかの非一時的コンピュータアクセス可能記憶媒体であって、第１のＲＡＴはパケット交換技術を含み、また、第２のＲＡＴは回線交換技術を含む。
【０１４８】
本開示の実施形態は、任意の様々な形態で実現することができる。例えばいくつかの実施形態は、コンピュータ実施方法、コンピュータ可読記憶媒体またはコンピュータシステムとして実現することができる。他の実施形態は、ＡＳＩＣなどの１つまたは複数の特注設計ハードウェアデバイスを使用して実現することができる。さらに他の実施形態は、ＦＰＧＡなどの１つまたは複数のプログラム可能ハードウェア要素を使用して実現することができる。
【０１４９】
いくつかの実施形態では、非一時的コンピュータ可読記憶媒体は、プログラム命令および／またはデータを記憶するように構成することができ、プログラム命令は、コンピュータシステムによって実行されると、方法、例えば本明細書において説明されている任意の方法実施形態、もしくは本明細書において説明されている方法実施形態の任意の組合せ、または本明細書において説明されている任意の方法実施形態の任意のサブセット、あるいはこのようなサブセットの任意の組合せをコンピュータシステムに実施させる。
【０１５０】
いくつかの実施形態では、コンピュータシステムは、プロセッサ（または一組のプロセッサ）および記憶媒体を含むように構成することができ、記憶媒体はプログラム命令を記憶し、プロセッサは、記憶媒体からプログラム命令を読み出して実行するように構成され、プログラム命令は、本明細書において説明されている任意の様々な方法実施形態（もしくは本明細書において説明されている方法実施形態の任意の組合せ、または本明細書において説明されている任意の方法実施形態の任意のサブセット、あるいはこのようなサブセットの任意の組合せ）を実施するべく実行することができる。コンピュータシステムは任意の様々な形態で実現することができる。例えばコンピュータシステムは、パーソナルコンピュータ（任意のその様々な実現化における）、ワークステーション、カード上コンピュータ、ボックス内の特定用途用コンピュータ、サーバコンピュータ、クライアントコンピュータ、ハンドヘルドデバイス、ユーザ機器（ＵＥ）デバイス、タブレットコンピュータ、ウェアラブルコンピュータ、等々であってもよい。
【０１５１】
以上、実施形態についてかなり詳細に説明したが、上記開示を完全に理解すれば当業者には多くの変形形態および変更態様が明らかになるであろう。以下の特許請求の範囲には、あらゆるこのような変形形態および変更態様を包含するべく解釈すべきことが意図されている。
【符号の説明】
【０１５２】
１００  発展型パケットコア（ＥＰＣ）
１００Ａ、１００Ｂ  コアネットワーク
１０２  ｅノードＢ
１０２Ａ、１０２Ｂ  基地局
１０６、１０６Ａ〜１０６Ｎ  ＵＥ（ユーザ機器）
１０８  外部ネットワーク
３０６  ＩＭＳクライアント
３２２  移動管理エンティティ（ＭＭＥ）
３２４  ホーム加入者サーバ（ＨＳＳ）
３２６  サービングゲートウェイ（ＳＧＷ）
３５０  ＩＭＳ
３５２  呼セッション制御機能（ＣＳＣＦ）
３５４  メディアゲートウェイコントローラ機能（ＭＧＣＦ）
３５６  ＩＭＳ管理ゲートウェイ（ＩＭＳ−ＧＷ）
４００  チップ上システム（ＳＯＣ）
４０２、５０４  プロセッサ
４０４  表示回路
４０６、５６０  メモリ
４１０  ＮＡＮＤフラッシュメモリ
４２０  コネクタＩ／Ｆ
４３０  無線通信回路
４３５、５３４  アンテナ
４４０、５４０  メモリ管理ユニット（ＭＭＵ）
４５０、５５０  リードオンリメモリ（ＲＯＭ）
４６０  ディスプレイ
５３０  無線機
５３２  通信チェーン
５７０  ネットワークポート
【図１】
0006035638.tif 000002
【図２】
0006035638.tif 000003
【図３】
0006035638.tif 000004
【図４】
0006035638.tif 000005
【図５】
0006035638.tif 000006
【図６Ａ】
0006035638.tif 000007
【図６Ｂ】
0006035638.tif 000008
【図７Ａ】
0006035638.tif 000009
【図７Ｂ】
0006035638.tif 000010
【図８】
0006035638.tif 000011
【図９】
0006035638.tif 000012
【図１０】
0006035638.tif 000013
【図１１】
0006035638.tif 000014